Podtech/llm-jp-corpus-v4-ja_patent huggingface dataset:
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
所定形状の被めっき部が長尺方向に繰り返し形成された長尺の金属条を支持体ドラムの外周部の一部に沿って巻回して前記支持体ドラムと共に回転移動させ、前記金属条の被めっき部の所定のめっきエリアに対して、前記支持体ドラムに形成しためっき孔を介して前記支持体ドラムの内部からめっき液を供給することにより前記金属条の被めっき部の所定のめっきエリアにスポットめっきするスポットめっき装置において、
前記金属条の少なくとも前記被めっき部を前記支持体ドラムの外周部に押圧して密着させるために、前記支持体ドラムに巻回された前記金属条の外周部の少なくとも一部に巻回され、前記金属条と共に前記支持体ドラムの回転方向に移動するバックアップ部材を備えており、
前記バックアップ部材は、ＰＥＥＫ樹脂、ポリエステル樹脂、フッ素樹脂、アクリル樹脂、ポリプロピレン樹脂、アラミド樹脂、ポリアリレート樹脂、ＰＢＯ樹脂、ポリフェニレンサルファイド（ＰＰＳ）樹脂、又は、ポリイミド樹脂で作製された樹脂シートであり、
前記バックアップ部材は、前記支持体ドラムのめっき孔に対応してめっき液抜け用の開口部が形成され、前記開口部は、前記開口部の内周面は、前記めっき孔の内周面を内包する大きさとされ、
前記バックアップ部材の前記開口部と前記支持体ドラムの前記めっき孔とのずれ量（△Ｄ）は、
前記開口部の内周面と前記めっき孔の内周面とが最も近接した位置での前記開口部の内周面と前記めっき孔の内周面との間の距離をＤｍｉｎとし、前記開口部の内周面と前記めっき孔の内周面とが最も離間した位置での前記開口部の内周面と前記めっき孔の内周面との間の距離をＤｍａｘとしたとき、Ｄｍｉｎ≦△Ｄ≦Ｄｍａｘであり、
Ｄｍｉｎ＝０
Ｄｍａｘ＝０．４ｍｍ
であることを特徴とするスポットめっき装置。
【請求項２】
前記バックアップ部材は、複数の支持ローラに張設巻回されて循環移動する無端ベルトであることを特徴とする請求項１に記載のスポットめっき装置。
【請求項３】
前記バックアップ部材の前記開口部及び前記支持体ドラムの前記めっき孔は、円形、楕円形、平行四辺形、正方形、長方形、台形、角丸四角形、三角形、多角形、十字形、ひし形、又は、ドーム形とされることを特徴とする請求項１又は２に記載のスポットめっき装置。
【請求項４】
前記めっき孔は、最大差し渡し長さが１〜５ｍｍであることを特徴とする請求項１〜３のいずれかの項に記載のスポットめっき装置。
【請求項５】
前記バックアップ部材は、厚みが０．５〜２．０ｍｍであることを特徴とする請求項１〜４のいずれかの項に記載のスポットめっき装置。
【手続補正２】
【補正対象書類名】明細書
【補正対象項目名】００１９
【補正方法】変更
【補正の内容】
【００１９】
上記目的は本発明に係るスポットめっき装置にて達成される。要約すれば、本発明は、所定形状の被めっき部が長尺方向に繰り返し形成された長尺の金属条を支持体ドラムの外周部の一部に沿って巻回して前記支持体ドラムと共に回転移動させ、前記金属条の被めっき部の所定のめっきエリアに対して、前記支持体ドラムに形成しためっき孔を介して前記支持体ドラムの内部からめっき液を供給することにより前記金属条の被めっき部の所定のめっきエリアにスポットめっきするスポットめっき装置において、
前記金属条の少なくとも前記被めっき部を前記支持体ドラムの外周部に押圧して密着させるために、前記支持体ドラムに巻回された前記金属条の外周部の少なくとも一部に巻回され、前記金属条と共に前記支持体ドラムの回転方向に移動するバックアップ部材を備えており、
前記バックアップ部材は、ＰＥＥＫ樹脂、ポリエステル樹脂、フッ素樹脂、アクリル樹脂、ポリプロピレン樹脂、アラミド樹脂、ポリアリレート樹脂、ＰＢＯ樹脂、ポリフェニレンサルファイド（ＰＰＳ）樹脂、又は、ポリイミド樹脂で作製された樹脂シートであり、
前記バックアップ部材は、前記支持体ドラムのめっき孔に対応してめっき液抜け用の開口部が形成され、前記開口部は、前記開口部の内周面は、前記めっき孔の内周面を内包する大きさとされ、
前記バックアップ部材の前記開口部と前記支持体ドラムの前記めっき孔とのずれ量（△Ｄ）は、
前記開口部の内周面と前記めっき孔の内周面とが最も近接した位置での前記開口部の内周面と前記めっき孔の内周面との間の距離をＤｍｉｎとし、前記開口部の内周面と前記めっき孔の内周面とが最も離間した位置での前記開口部の内周面と前記めっき孔の内周面との間の距離をＤｍａｘとしたとき、Ｄｍｉｎ≦△Ｄ≦Ｄｍａｘであり、
Ｄｍｉｎ＝０
Ｄｍａｘ＝０．４ｍｍ
であることを特徴とするスポットめっき装置である。
【手続補正３】
【補正対象書類名】明細書
【補正対象項目名】００２１
【補正方法】削除
【補正の内容】
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
冷蔵庫本体に設けられた貯蔵室と、
該貯蔵室の開口を開閉する貯蔵室扉と、
該貯蔵室扉の前面の透光性を有する扉前面板と、
前記扉前面板の裏面に設けた金属蒸着層と、
前記金属蒸着層の裏面に塗布された有色塗料層と、を備え、
前記有色塗料層の端部が、前記金属蒸着層の端部より外側から前記扉前面板の下端部の範囲にあることを特徴とする冷蔵庫。
【手続補正２】
【補正対象書類名】明細書
【補正対象項目名】００１４
【補正方法】変更
【補正の内容】
【００１４】
上記課題を解決するために、例えば特許請求の範囲に記載の構成を採用する。本願は上記課題を解決する手段を複数含んでいるが、その一例を挙げるならば、冷蔵庫本体に設けられた貯蔵室と、該貯蔵室の開口を開閉する貯蔵室扉と、該貯蔵室扉の前面の透光性を有する扉前面板と、前記扉前面板の裏面に設けた金属蒸着層と、前記金属蒸着層の裏面に塗布された有色塗料層と、を備え、前記有色塗料層の端部が、前記金属蒸着層の端部より外側から前記扉前面板の下端部の範囲にあることを特徴とする。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
（レチノイド）ｍ−リンカー−（レチノイド）ｎ、（脂質）ｍ−リンカー−（レチノイド）ｎ、
【化１】
2016153477.tif 000001
または
【化２】
2016153477.tif 000002
の構造からなり、式中、ｍおよびｎは独立して１、２または３であり、リンカーは、ポリエチレングリコール（ＰＥＧ）、Ｇｌｕ、ヘキサノイル、Ｇｌｙ３、および／または、ＧｌｕＮＨを含む、前記化合物。
【請求項２】
レチノイドが、ビタミンＡ、レチノイン酸、トレチノイン、アダパレン、４−ヒドロキシ（フェニル）レチンアミド（４−ＨＰＲ）、パルミチン酸レチニル、レチナール、飽和レチノイン酸、および飽和脱メチル化レチノイン酸からなる群から選択される、請求項１に記載の化合物。
【請求項３】
脂質が、ＤＯＤＣ、ＨＥＤＯＤＣ、ＤＳＰＥ、ＤＯＰＥ、およびＤＣ−６−１４からなる群から選択される、請求項１または２に記載の化合物。
【請求項４】
リンカーが、ビス−アミド−ＰＥＧ、トリス−アミド−ＰＥＧ、テトラ−アミド−ＰＥＧ、Ｌｙｓ−ビス−アミド−ＰＥＧ−Ｌｙｓ、Ｌｙｓ−トリス−アミド−ＰＥＧ−Ｌｙｓ、Ｌｙｓ−テトラ−アミド−ＰＥＧ−Ｌｙｓ、Ｌｙｓ−ＰＥＧ−Ｌｙｓ、ＰＥＧ２０００、ＰＥＧ１２５０、ＰＥＧ１０００、ＰＥＧ７５０、ＰＥＧ５５０、ＰＥＧ−Ｇｌｕ、Ｇｌｕ、ヘキサノイル、Ｇｌｙ３、およびＧｌｕＮＨからなる群から選択される、請求項１〜３のいずれか一項に記載の化合物。
【請求項５】
レチノイド−ＰＥＧ−レチノイド、（レチノイド）２−ＰＥＧ−（レチノイド）２、ＶＡ−ＰＥＧ２０００−ＶＡ、（レチノイド）２−ビス−アミド−ＰＥＧ−（レチノイド）２、（レチノイド）２−Ｌｙｓ−ビス−アミド−ＰＥＧ−Ｌｙｓ−（レチノイド）２、ＤＳＰＥ−ＰＥＧ−ＶＡ、ＤＳＰＥ−ＰＥＧ２０００−Ｇｌｕ−ＶＡ、ＤＳＰＥ−ＰＥＧ５５０−ＶＡ、ＤＯＰＥ−Ｇｌｕ−ＶＡ、ＤＯＰＥ−Ｇｌｕ−ＮＨ−ＶＡ、ＤＯＰＥ−Ｇｌｙ３−ＶＡおよびＤＣ−６−ＶＡからなる群から選択される、請求項１〜３のいずれか一項に記載の化合物。
【請求項６】
式：
【化３】
2016153477.tif 000003
式中、ｑ、ｒ、およびｓは各々独立して、１、２、３、４、５、６、７、８、９、または１０である、
で表される、請求項５に記載の化合物。
【請求項７】
式：
【化４】
2016153477.tif 000004
で表される、請求項６に記載の化合物。
【請求項８】
請求項１〜７のいずれか一項に記載の化合物を含む、組成物。
【請求項９】
脂質粒子の形態を有する、請求項８に記載の組成物。
【請求項１０】
ＨＥＤＣ、ＤＯＤＣ、ＨＥＤＯＤＣ、ＤＳＰＥ、ＤＯＰＥ、Ｓ１０４およびＤＣ−６−１４からなる群から選択される脂質を含む、請求項８または９に記載の組成物。
【請求項１１】
標識または薬物をさらに含む、請求項８〜１０のいずれか一項に記載の組成物。
【請求項１２】
薬物が核酸である、請求項１１に記載の組成物。
【請求項１３】
線維性疾患またはがんを処置するための、請求項１１または１２に記載の組成物。
【請求項１４】
標的細胞への薬物送達を促進するための、８〜１２のいずれか一項に記載の組成物。
【手続補正２】
【補正対象書類名】明細書
【補正対象項目名】０２９２
【補正方法】変更
【補正の内容】
【０２９２】
ＤＣ−６−ＶＡの調製：（（６−（（２Ｅ，４Ｅ，６Ｅ，８Ｅ）−３，７−ジメチル−９−（２，６，６−トリメチルシクロヘキサ−１−エン−１−イル）ノナ−２，４，６，８−テトラエンアミド）ヘキサノイル）アザンジイル）ビス（エタン−２，１−ジイル）ジテトラデカノエート
【化９５】
2016153477.tif 000005
【手続補正３】
【補正対象書類名】明細書
【補正対象項目名】０２９３
【補正方法】変更
【補正の内容】
【０２９３】
−７８℃で撹拌されているジエチルエーテル（４０ｍＬ）中のレチノイン酸（８００ｍｇ、２．６７ｍｍｏｌ）の溶液に、冷エーテル（７ｍＬ）中の（ジエチルアミノ）硫黄トリフルオリド（０．４ｍＬ、２２．８０ｍｍｏｌ）の溶液を、シリンジを介して加えた。反応混合物を冷浴から取り出し、攪拌を室温でさらに１時間続けた。溶媒を回転蒸発により除去した後、残渣を、固体Ｎａ２ＣＯ３（４０ｍｇ）の存在下でジクロロメタン（２５ｍＬ）に再溶解した。この溶液に、（（６−アミノヘキサノイル）アザンジイル）ビス（エタン−２，１−ジイル）ジテトラデカノエートＴＦＡ塩（１．５ｇ、１．６ｍｍｏｌ）を加え、反応混合物を室温でさらに２４時間攪拌した。反応混合物をジクロロメタン（５０ｍｌ）で希釈し、ＭｇＳＯ４で乾燥した。溶媒を回転蒸発により除去した後、残渣をカラムクロマトグラフィーにより５％メタノール／ジクロロメタンを溶出液として用いて精製し、（（６−（（２Ｅ，４Ｅ，６Ｅ，８Ｅ）−３，７−ジメチル−９−（２，６，６−トリメチルシクロヘキサ−１−エン−１−イル）ノナ−２，４，６，８−テトラエンアミド）ヘキサノイル）アザンジイル）ビス（エタン−２，１−ジイル）ジテトラデカノエートを得た（３６０ｍｇ、２４％）。
【数１４】
2016153477.tif 000006
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
（ａ）１０〜３５重量％のＨＦＣ−３２；
（ｂ）１０〜３５重量％のＨＦＣ−１２５；
（ｃ）２０〜５０重量％のＨＦＯ−１２３４ｙｆ；および
（ｄ）１５〜３５重量％のＨＦＣ−１３４ａ；
からなる熱伝達組成物であって、前記重量％が前記熱伝達組成物中の成分（ａ）〜（ｄ）の総重量を基準とし、前記熱伝達組成物が１０００未満の地球温暖化係数を有する、熱伝達組成物。
【請求項２】
ＨＦＣ−３２が１３重量％の量で存在する、請求項１に記載の熱伝達組成物。
【請求項３】
ＨＦＣ−１２５が１３重量％の量で存在する、請求項１または２に記載の熱伝達組成物。
【請求項４】
ＨＦＯ−１２３４ｙｆが４４重量％の量で存在する、請求項１〜３のいずれかに記載の熱伝達組成物。
【請求項５】
ＨＦＣ−１３４ａが３０重量％の量で存在する、請求項１〜４のいずれかに記載の熱伝達組成物。
【請求項６】
ＨＦＣ−１３４ａとＨＦＯ−１２３４ｙｆとの比が５：７〜１：１である、請求項１、４または５に記載の熱伝達組成物。
【請求項７】
前記熱伝達組成物が、
（ａ）１３重量％のＨＦＣ−３２；
（ｂ）１３重量％のＨＦＣ−１２５；
（ｃ）４４重量％のＨＦＯ−１２３４ｙｆ；および
（ｄ）３０重量％のＨＦＣ−１３４ａ
からなる、請求項１に記載の熱伝達組成物。
【請求項８】
潤滑剤と組み合わせた請求項１〜７のいずれかに記載の熱伝達組成物。
【請求項９】
前記潤滑剤が、ポリオールエステル（ＰＯＥ）、ポリアルキレングリコール（ＰＡＧ）、ＰＡＧ油、シリコーン油、鉱油、アルキルベンゼン（ＡＢ）、およびポリ（α−オレフィン）（ＰＡＯ）からなる群から選ばれる、請求項８に記載の熱伝達組成物。
【請求項１０】
前記潤滑剤が、ポリオールエステル（ＰＯＥ）である、請求項８に記載の熱伝達組成物。
【請求項１１】
ＨＦＣ−４０４Ａの効率と同等かまたはより高い効率を有する請求項１〜１０のいずれかに記載の熱伝達組成物。
【請求項１２】
低温冷却システムにおいて使用するための請求項１〜１１のいずれかに記載の熱伝達組成物。
【請求項１３】
空調システムにおいて使用するための請求項１〜１１のいずれかに記載の熱伝達組成物。
【請求項１４】
熱伝達システム中に含まれている現行の熱伝達流体を置き換える方法であって、前記現行の熱伝達流体の少なくとも一部を前記熱伝達システムから取り除くこと、ここで前記現行の熱伝達流体がＨＦＣ−４０４Ａである；および
（ａ）１０〜３５重量％のＨＦＣ−３２；
（ｂ）１０〜３５重量％のＨＦＣ−１２５；
（ｃ）２０〜５０重量％のＨＦＯ−１２３４ｙｆ；および
（ｄ）１５〜３５重量％のＨＦＣ−１３４ａ；
からなる熱伝達組成物であって、前記重量％が前記熱伝達組成物中の成分（ａ）〜（ｄ）の総重量を基準とし、前記熱伝達組成物が１０００未満の地球温暖化係数を有する、熱伝達組成物
を前記熱伝達システム中に導入することによって、前記現行の熱伝達流体の少なくとも一部を置き換えること；を含む、上記方法。
【請求項１５】
ＨＦＣ−３２が１３重量％の量で存在する、請求項１４に記載の方法。
【請求項１６】
ＨＦＣ−１２５が１３重量％の量で存在する、請求項１４または１５に記載の方法。
【請求項１７】
ＨＦＯ−１２３４ｙｆが４４重量％の量で存在する、請求項１４〜１６のいずれかに記載の方法。
【請求項１８】
ＨＦＣ−１３４ａが３０重量％の量で存在する、請求項１４〜１７のいずれかに記載の方法。
【請求項１９】
ＨＦＣ−１３４ａとＨＦＯ−１２３４ｙｆとの比が５：７〜１：１である、請求項１４、１７または１８に記載の方法。
【請求項２０】
前記熱伝達組成物が、
（ａ）１３重量％のＨＦＣ−３２；
（ｂ）１３重量％のＨＦＣ−１２５；
（ｃ）４４重量％のＨＦＯ−１２３４ｙｆ；および
（ｄ）３０重量％のＨＦＣ−１３４ａ
からなる、請求項１４に記載の方法。
【請求項２１】
潤滑剤と組み合わせた請求項１４〜２０のいずれかに記載の方法。
【請求項２２】
前記潤滑剤が、ポリオールエステル（ＰＯＥ）、ポリアルキレングリコール（ＰＡＧ）、ＰＡＧ油、シリコーン油、鉱油、アルキルベンゼン（ＡＢ）、およびポリ（α−オレフィン）（ＰＡＯ）からなる群から選ばれる、請求項２１に記載の方法。
【請求項２３】
前記潤滑剤が、ポリオールエステル（ＰＯＥ）である、請求項２１に記載の方法。
【請求項２４】
ＨＦＣ−４０４Ａの効率と同等かまたはより高い効率を有する請求項１４〜２３のいずれかに記載の方法。
【請求項２５】
前記熱伝達システムが低温冷却システムである、請求項１４〜２４のいずれかに記載の方法。
【請求項２６】
前記熱伝達システムが空調システムである、請求項１４〜２４のいずれかに記載の方法。
【請求項２７】
熱伝達システムであって、流体連通状態にある圧縮機と凝縮器と蒸発器、および該システム中の熱伝達組成物を含み、前記熱伝達組成物が、
（ａ）１０〜３５重量％のＨＦＣ−３２；
（ｂ）１０〜３５重量％のＨＦＣ−１２５；
（ｃ）２０〜５０重量％のＨＦＯ−１２３４ｙｆ；および
（ｄ）１５〜３５重量％のＨＦＣ−１３４ａ；
からなる熱伝達組成物であって、前記重量％が前記熱伝達組成物中の成分（ａ）〜（ｄ）の総重量を基準とする、熱伝達システム。
【請求項２８】
前記熱伝達組成物が請求項２〜７のいずれかに記載の熱伝達組成物である、請求項２７に記載の熱伝達システム。
【請求項２９】
前記熱伝達システムが低温冷却システムである、請求項２７または２８に記載の熱伝達システム。
【請求項３０】
前記熱伝達システムが空調システムである、請求項２７または２８に記載の熱伝達システム。
【請求項３１】
前記蒸発器が−２５℃〜−３５℃の作動温度を有する、請求項２７〜２９のいずれかに記載の熱伝達システム。
【請求項３２】
前記熱伝達システムがさらに潤滑剤を含む、請求項２７〜３１のいずれかに記載の熱伝達システム。
【請求項３３】
前記潤滑剤が、ポリオールエステル（ＰＯＥ）、ポリアルキレングリコール（ＰＡＧ）、ＰＡＧ油、シリコーン油、鉱油、アルキルベンゼン（ＡＢ）、およびポリ（α−オレフィン）（ＰＡＯ）からなる群から選ばれる、請求項３２に記載の熱伝達システム。
【請求項３４】
前記潤滑剤が、ポリオールエステル（ＰＯＥ）である、請求項３２に記載の熱伝達システム。
【請求項３５】
熱伝達システムにおけるＨＦＣ−４０４Ａの代替物としての請求項１〜７のいずれかに記載の熱伝達組成物の使用。
【請求項３６】
前記熱伝達システムが低温冷却システムである、請求項３５に記載の使用。
【請求項３７】
前記熱伝達システムが空調システムである、請求項３５に記載の使用。
【手続補正書】
【提出日】平成28年7月6日(2016.7.6)
【手続補正１】
【補正対象書類名】明細書
【補正対象項目名】０１７８
【補正方法】変更
【補正の内容】
【０１７８】
例えば、本発明の上記発明化合物と併用して使用する可能性のある他の治療法又は抗癌剤には、外科手術、放射線療法（少数ではあるが例を挙げると、ガンマ線照射、中性子線療法、電子線療法、陽子線治療、近接照射療法及び放射性同位体全身投与）、内分泌療法、生物学的反応修飾薬（少数を列挙すると、インターフェロン、インターロイキン、抗体、アプタマー、ｓｉＲＮＡ、オリゴヌクレオチド、酵素、イオンチャンネル及び受容体の阻害薬又は活性化薬）、温熱療法及び凍結療法、副作用を弱める薬剤（例えば、制吐薬）及びその他の承認された化学療法薬を含み、化学療法薬には、少数を列挙すると、アルキル化剤（例えば、メクロレタミン、クロラムブシル、シクロホスファミド、メルファラン、イホスファミド）、抗代謝薬（例えば、メトトレキサート）、プリン拮抗薬及びピリミジン拮抗薬（例えば、６‐メルカプトプリン、５‐フルオロウラシル、シタラビン、ゲムシタビン）、紡錘体毒（例えば、ビンブラスチン、ビンクリスチン、ビノレルビン、パクリタキセル）、ポドフィロトキシン（例えば、エトポシド、イリノテカン、トポテカン）、抗生物質（ドキソルビシン、ブレオマイシン、マイトマイシン）、ニトロソ尿素（例えば、カルムスチン、ロムスチン）、無機イオン（例えば、シスプラチン、カルボプラチン）、酵素（例えば、アスパラギナーゼ）及びホルモン（例えば、タモキシフェン、ロイプロリド、フルタナミド及びメゲステロール）があるが、これに限定されない。さらに最新の癌治療の包括的な議論は、非特許文献６０を見ること、引用することでここに全内容を組み入れた。また、医薬品局（the Food and Drug Administration、ＦＤＡ）が承認した腫瘍薬のリストはthe National Cancer Institute (CNI) のウェブサイト(www.nci.nih.gov)及びthe Food and Drug Administration (FDA) のウェブサイト(www.fda.gov/cder/cancer/dmglistfrarne)を参照のこと。
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
複数種類の図柄が施された複数のリールの開始操作を行うための始動手段と、
前記始動手段による始動条件の成立に基づき、特別役を含む複数種類の役の内部当選の当否を抽選する抽選手段と、
前記始動条件の成立を契機に前記リールのそれぞれに対応して設けられ、前記リールを個別に停止させる停止操作を行うための停止手段と、
前記抽選手段による抽選結果及び前記停止手段を介した停止操作に基づき、前記リールの停止制御を行う停止制御手段と、
前記停止制御手段にて停止された前記リールにより構成される前記図柄の組合せを判定する判定手段と、
前記抽選手段にて遊技者に不利な遊技状態である低確率遊技状態において前記特別役に内部当選すると、前記判定手段にて前記特別役に入賞したと判定されるまで前記内部当選の状態を維持し、所定の遊技価値を掛けることなく遊技が可能となる再遊技役への当選確率が上昇するＲＴ遊技で遊技を制御する遊技制御手段と、を備え、
前記ＲＴ遊技は、前記遊技価値が高確率で付与され得る有利遊技状態へ移行し得る、前記有利遊技状態とは別の状態であり、
前記特別役には、第１特別役と、該第１特別役より当選確率が低い第２特別役があり、
前記遊技制御手段は、
前記第１特別役に内部当選した場合は、第１ＲＴ遊技で遊技を制御し、前記第２特別役に当選した場合は、前記第１ＲＴ遊技よりも前記再遊技役への当選確率が大きい第２ＲＴ遊技で遊技を制御し、
前記ＲＴ遊技で遊技が制御されているときにおいて、
前記停止制御手段にて停止された前記リールにより構成される前記図柄の組み合わせが前記判定手段によって前記特別役に対応する図柄の組み合わせと判定されると、前記低確率遊技状態へ移行すること
を特徴とする遊技機。
【手続補正２】
【補正対象書類名】明細書
【補正対象項目名】０００２
【補正方法】変更
【補正の内容】
【０００２】
従来、遊技者によるメダル等の遊技価値の投入操作とスタートレバーに対する開始操作とに基づいて複数のリールを回転させる遊技機（いわゆる「パチスロ」）がある。この遊技機では、遊技者による停止ボタンの操作に基づいて各リールを停止させることにより図柄を停止表示させる。
【手続補正３】
【補正対象書類名】明細書
【補正対象項目名】０００３
【補正方法】変更
【補正の内容】
【０００３】
このとき、表示される図柄のうち、予め定められたライン（以下、「有効ライン」という）上に予め定められた図柄の組み合わせが停止表示された場合に、遊技者に対して特典（例えば、メダル）が付与される。
【手続補正４】
【補正対象書類名】明細書
【補正対象項目名】０００４
【補正方法】変更
【補正の内容】
【０００４】
この種の遊技機では、遊技者によるスタートレバーの操作に基づいて、役に対応する図柄の組み合わせが揃うことを許容するか否かを判定する。この場合、遊技者の停止ボタン操作に基づいて停止制御が行われ、当選役に係る図柄の組み合わせが有効ライン上に停止表示される（例えば、特許文献１参照）。
【手続補正５】
【補正対象書類名】明細書
【補正対象項目名】０００５
【補正方法】変更
【補正の内容】
【０００５】
このような遊技機には、低確率状態からボーナス役に当選することで、リプレイタイム遊技（以下、適宜「ＲＴ遊技」という）に移行するものがある。このＲＴ遊技をいわゆる「通常状態」とし、ＲＴ遊技中の抽選によってアシストタイム（以下、適宜「ＡＴ遊技」という）に当選することで、メダル等の遊技価値を獲得するタイプの遊技機が知られている。
【手続補正６】
【補正対象書類名】明細書
【補正対象項目名】０００７
【補正方法】変更
【補正の内容】
【０００７】
ところが、このタイプの遊技機では、遊技が単調になってしまうという課題があった。結果として、遊技の興趣の低下を招くことが懸念される。
【手続補正７】
【補正対象書類名】明細書
【補正対象項目名】０００９
【補正方法】変更
【補正の内容】
【０００９】
このような課題を解決するために、本発明に係る遊技機（１）は、複数種類の図柄が施された複数のリール（１２４ａ，１２４ｂ，１２４ｃ）の開始操作を行うための始動手段（１１１）と、前記始動手段による始動条件の成立に基づき、特別役を含む複数種類の役の内部当選の当否を抽選する抽選手段（２００，Ｓ６０９）と、前記始動条件の成立を契機に前記リールのそれぞれに対応して設けられ、前記リールを個別に停止させる停止操作を行うための停止手段（１１２，１１３，１１４）と、前記抽選手段による抽選結果及び前記停止手段を介した停止操作に基づき、前記リールの停止制御を行う停止制御手段（２００，３００，４００，Ｓ７０４，Ｓ１６０６）と、前記停止制御手段にて停止された前記リールにより構成される前記図柄の組合せを判定する判定手段（３００，図２１）と、前記抽選手段にて遊技者に不利な遊技状態である低確率遊技状態において前記特別役に内部当選すると、前記判定手段にて前記特別役に入賞したと判定されるまで前記内部当選の状態を維持し、所定の遊技価値を掛けることなく遊技が可能となる再遊技役（リプレイ）への当選確率が上昇するＲＴ遊技で遊技を制御する遊技制御手段（２００，３００）と、を備え、前記ＲＴ遊技は、前記遊技価値が高確率で付与され得る有利遊技状態（図１８）へ移行し得る、前記有利遊技状態とは別の状態であり、前記特別役には、第１特別役と、該第１特別役より当選確率が低い第２特別役があり、前記遊技制御手段は、前記第１特別役に内部当選した場合は、第１ＲＴ遊技で遊技を制御し、前記第２特別役に当選した場合は、前記第１ＲＴ遊技よりも前記再遊技役への当選確率が大きい第２ＲＴ遊技で遊技を制御し、前記ＲＴ遊技で遊技が制御されているときにおいて、前記停止制御手段にて停止された前記リールにより構成される前記図柄の組み合わせが前記判定手段によって前記特別役に対応する図柄の組み合わせと判定されると、前記低確率遊技状態へ移行することを特徴とする。
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
複数種類の図柄が施された複数のリールの開始操作を行うための始動手段と、
前記始動手段が操作されると、特定役を含む複数種類の当選役を決定可能な当選役決定手段と、
前記当選役決定手段にて決定された前記当選役に基づき、前記リールの停止制御を行う停止制御手段と、
前記当選役決定手段にて前記特定役が決定されたことに基づき、遊技者に特典を付与するか否かを判定する特典付与判定手段と、
前記当選役決定手段で前記特定役が決定されると、該決定された特定役を記憶する記憶手段と、
を備え、
前記特定役は、前記特典付与判定手段にて前記特典を付与すると判定され易い第１特定役、及び、前記特典を付与すると、前記第１特定役よりも判定され易い第２特定役を含んでおり、前記当選役決定手段による前記第１特定役と前記第２特定役の決定確率は、前記第１特定役の方が高く、
前記特典付与判定手段は、前記記憶手段に記憶された特定役が前記第２特定役である場合、前記特典付与するか否かを判定し、前記特典を付与しないと判定された場合、予め定められたゲーム数以内に前記第１特定役であることが前記当選役決定手段により前記記憶手段に記憶されたときは、過去に決定された前記特典を付与すると判定され易い前記第２特定役に基づいて前記特典を付与するか否かを判定すること
を特徴とする遊技機。
【手続補正２】
【補正対象書類名】明細書
【補正対象項目名】０００２
【補正方法】変更
【補正の内容】
【０００２】
従来、遊技者によるメダル等の遊技価値の投入操作とスタートレバーに対する開始操作とに基づいて複数のリールを回転させる遊技機（いわゆる「パチスロ」）がある。この遊技機では、遊技者による停止ボタンの操作に基づいて各リールを停止させることにより図柄を停止表示させる。
【手続補正３】
【補正対象書類名】明細書
【補正対象項目名】０００３
【補正方法】変更
【補正の内容】
【０００３】
このとき、表示される図柄のうち、予め定められたライン（以下、「有効ライン」という）上に予め定められた図柄の組み合わせが停止表示された場合に、遊技者に対して有利な特典（例えば、ボーナス）が付与される。
【手続補正４】
【補正対象書類名】明細書
【補正対象項目名】０００４
【補正方法】変更
【補正の内容】
【０００４】
この種の遊技機では、遊技者によるスタートレバーの操作に基づいて、役に対応する図柄の組み合わせが揃うことを許容するか否かを判定する。この場合、遊技者の停止ボタン操作に基づいて停止制御が行われ、当選役に係る図柄の組み合わせが有効ライン上に停止表示される。このような遊技機には、特定役が決定されたことを契機に、特典の付与を行うものがある（例えば、特許文献１参照）。
【手続補正５】
【補正対象書類名】明細書
【補正対象項目名】０００６
【補正方法】変更
【補正の内容】
【０００６】
しかしながら、特定役の決定を契機に特典の付与を行うだけでは、遊技が単調になる虞があり、遊技の興趣向上を阻害する虞がある。
本発明は、このような課題を解決するためになされたものであり、特定役の決定を契機に特典を付与させる上で遊技の興趣を向上させることにある。
【手続補正６】
【補正対象書類名】明細書
【補正対象項目名】０００８
【補正方法】変更
【補正の内容】
【０００８】
本発明の遊技機（１）は、複数種類の図柄が施された複数のリール（１２４）の開始操作を行うための始動手段（１１１）と、前記始動手段が操作されると、特定役を含む複数種類の当選役を決定可能な当選役決定手段（２０１，Ｓ６０９）と、前記当選役決定手段にて決定された前記当選役に基づき、前記リールの停止制御を行う停止制御手段（２０１）と、前記当選役決定手段にて前記特定役が決定されたことに基づき、遊技者に特典を付与するか否かを判定する特典付与判定手段（２０１）と、前記当選役決定手段で前記特定役が決定されると、該決定された特定役を記憶する記憶手段（２０３）と、を備え、前記特定役は、前記特典付与判定手段にて前記特典を付与すると判定され易い第１特定役（スイカ）、及び、前記特典を付与すると、前記第１特定役よりも判定され易い第２特定役（チェリー）を含んでおり、前記当選役決定手段による前記第１特定役と前記第２特定役の決定確率は、前記第１特定役の方が高く、前記特典付与判定手段は、前記記憶手段に記憶された特定役が前記第２特定役である場合、前記特典付与するか否かを判定し、前記特典を付与しないと判定された場合、予め定められたゲーム数以内に前記第１特定役であることが前記当選役決定手段により前記記憶手段に記憶されたときは、過去に決定された前記特典を付与すると判定され易い前記第２特定役に基づいて前記特典を付与するか否かを判定することを特徴とする。
【手続補正７】
【補正対象書類名】明細書
【補正対象項目名】０００９
【補正方法】変更
【補正の内容】
【０００９】
本発明によれば、特定役の決定を契機に特典を付与させる上で遊技の興趣を向上させることができる。
【手続補正８】
【補正対象書類名】明細書
【補正対象項目名】０３１５
【補正方法】変更
【補正の内容】
【０３１５】
１…遊技機（遊技機）
１１１…スタートレバー（始動手段）
１２４ａ…左リール（リール）
１２４ｂ…中リール（リール）
１２４ｃ…右リール（リール）
２００…メイン制御基板（当選役決定手段、停止制御手段、特典付与判定手段）
２０３…メインＲＡＭ（記憶手段）
３００…サブ制御基板
４００…リール制御基板（停止制御手段）
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
リーチ状態となった後にリーチ演出を実行するリーチ演出実行手段を備え、
前記リーチ演出実行手段は、第１リーチ演出と、所定演出を経由して実行される第２リーチ演出と、を少なくとも実行可能であり、
前記所定演出として、可変表示を仮停止態様とした後、可変表示を再開させる第１発展演出、または可変表示を仮停止態様とせずに可変表示を行う第２発展演出を実行する発展演出実行手段と、
可変表示が開始されてからその後に前記リーチ演出実行手段により前記リーチ演出が実行されるリーチ状態となる前までに可変表示を仮停止させてから再開する再可変表示を所定回実行する再可変表示実行手段と、
をさらに備え、
前記リーチ演出実行手段は、前記再可変表示実行手段により前記再可変表示が特定回数以上実行されるときに、前記所定演出を経由して前記第２リーチ演出を実行し、
前記発展演出実行手段は、前記再可変表示実行手段により前記再可変表示が前記特定回数以上実行されるときに、前記所定演出として前記第２発展演出を実行する
ことを特徴とする遊技機。
【手続補正２】
【補正対象書類名】明細書
【補正対象項目名】０００９
【補正方法】変更
【補正の内容】
【０００９】
（１）上記目的を達成するため、本発明の遊技機は、可変表示を行い、遊技者にとって有利な有利状態（例えば大当り遊技状態）に制御可能な遊技機（例えばパチンコ遊技機１）であって、リーチ状態となった後にリーチ演出を実行するリーチ演出実行手段（例えば演出制御用ＣＰＵ１０１がステップＳ８０２やＳ８０３の処理を実行する部分）を備え、前記リーチ演出実行手段は、第１リーチ演出（例えばノーマルリーチのリーチ演出）と、所定演出（例えばリーチ中演出）を経由して実行される第２リーチ演出（例えばスーパーリーチのリーチ演出αやリーチ演出β）と、を少なくとも実行可能であり、前記所定演出として、可変表示を仮停止態様とした後、可変表示を再開させる第１発展演出（例えば「仮停止後＋１」や「仮停止後−１」の発展演出）、または可変表示を仮停止態様とせずに可変表示を行う第２発展演出（例えば中図柄を仮停止させずにスーパーリーチとする演出）を実行する発展演出実行手段（例えば演出制御用ＣＰＵ１０１がステップＳ９０３の発展演出決定処理における決定結果に基づいてステップＳ８０２の処理を実行する部分）と、可変表示が開始されてからその後に前記リーチ演出実行手段により前記リーチ演出が実行されるリーチ状態となる前までに可変表示を仮停止させてから再開する再可変表示（例えば擬似連変動）を所定回実行する再可変表示実行手段（例えば演出制御用ＣＰＵ１０１がステップＳ８０２において「擬似連」の特定演出を実行する部分）と、をさらに備え、前記リーチ演出実行手段は、前記再可変表示実行手段により前記再可変表示が特定回数（例えば３回）以上実行されるときは、前記所定演出を経由して前記第２リーチ演出を実行し（例えば、図８、図９に示すように擬似連変動が３回である場合には必ずスーパーリーチとなり）、前記発展演出実行手段は、前記再可変表示実行手段により前記再可変表示が前記特定回数以上実行されるときに、前記所定演出として前記第２発展演出を実行する（例えば、演出制御用ＣＰＵ１０１はステップＳ９２５にてＮと判定されたときのみステップＳ９２７〜Ｓ９３０の処理を実行する）ことを特徴とする。
このような構成によれば、無駄な演出を省くことができ、遊技の興趣が向上する。
前記発展演出実行手段が前記第１発展演出を実行するタイミングと重複するタイミングにおいて予告演出を実行可能であり、前記予告演出と前記第１発展演出とは競合しないようにしてもよい。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
所定条件の成立に基づいて遊技者に有利な特別遊技を実行するか否かの特別遊技判定を行い、該特別遊技判定によって特別遊技を実行すると判定された場合は前記特別遊技を実行する遊技機であって、
前記特別遊技判定が行われた場合、該特別遊技判定結果を報知するための報知演出を実行する報知演出実行手段と、
前記特別遊技判定が第１の確率で実行される通常遊技状態と、前記特別遊技判定が前記通常遊技状態よりも高確率である第２の確率で実行される高確率遊技状態と、を含む複数の遊技状態のうちいずれかの遊技状態にて遊技を制御する遊技状態制御手段と、
前記報知演出実行手段による前記報知演出の実行中に当該遊技機に関する説明を行う説明演出を実行する特定演出実行手段と、を備え、
前記報知演出実行手段は、前記報知演出の実行中に第１の演出または該第１の演出とは異なる第２の演出を実行可能であり、
前記説明演出には、少なくとも前記第１の演出に係る第１の説明演出と、前記第２の演出に係る第２の説明演出と、を含み、
前記特定演出実行手段は、前記遊技状態制御手段により前記通常遊技状態で遊技が制御される場合に前記説明演出を実行可能である一方、前記遊技状態制御手段により前記高確率遊技状態で遊技が制御されている場合には前記説明演出を実行しない
ことを特徴とする遊技機。
【手続補正２】
【補正対象書類名】明細書
【補正対象項目名】０００５
【補正方法】変更
【補正の内容】
【０００５】
ここで、特許文献１に開示されている遊技機は、説明演出によって特定演出の内容を説明している。一方、特定演出の内容だけではなく、その他の演出の内容等も多様化の傾向があり、その他の演出の内容等についても説明演出によって行うことが考えられるが、説明演出の頻度によっては、かえって遊技の興趣が低下してしまう虞がある。
【手続補正３】
【補正対象書類名】明細書
【補正対象項目名】０００６
【補正方法】変更
【補正の内容】
【０００６】
そこで、本発明は、遊技の興趣を向上させることが可能な遊技機を提供することを目的とする。
【手続補正４】
【補正対象書類名】明細書
【補正対象項目名】０００７
【補正方法】変更
【補正の内容】
【０００７】
本発明にかかる遊技機は、所定条件の成立に基づいて遊技者に有利な特別遊技を実行するか否かの特別遊技判定を行い、該特別遊技判定によって特別遊技を実行すると判定された場合は前記特別遊技を実行する遊技機であって、前記特別遊技判定が行われた場合、該特別遊技判定結果を報知するための報知演出を実行する報知演出実行手段と、前記特別遊技判定が第１の確率で実行される通常遊技状態と、前記特別遊技判定が前記通常遊技状態よりも高確率である第２の確率で実行される高確率遊技状態と、を含む複数の遊技状態のうちいずれかの遊技状態にて遊技を制御する遊技状態制御手段と、前記報知演出実行手段による前記報知演出の実行中に当該遊技機に関する説明を行う説明演出を実行する特定演出実行手段と、を備え、前記報知演出実行手段は、前記報知演出の実行中に第１の演出または該第１の演出とは異なる第２の演出を実行可能であり、前記説明演出には、少なくとも前記第１の演出に係る第１の説明演出と、前記第２の演出に係る第２の説明演出と、を含み、前記特定演出実行手段は、前記遊技状態制御手段により前記通常遊技状態で遊技が制御される場合に前記説明演出を実行可能である一方、前記遊技状態制御手段により前記高確率遊技状態で遊技が制御されている場合には前記説明演出を実行しないことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明に係る遊技機によれば、遊技の興趣を向上させることが可能である。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
識別情報の可変表示を行う遊技機であって、
可変表示領域において識別情報の可変表示を実行する可変表示実行手段と、
前記可変表示実行手段が実行する識別情報の可変表示に同期して、特定識別情報の可変表示を実行する特定可変表示実行手段と、
前記可変表示領域における識別情報の表示位置を変更する表示位置変更手段と、
前記可変表示領域を区切るような位置に移動可能な可動部材とを備え、
前記特定可変表示実行手段は、
前記表示位置変更手段が識別情報の表示位置を変更したときに、変更後の表示位置の識別情報と並べて特定識別情報を表示し、
前記可動部材の移動に伴って特定識別情報の表示位置を移動させることにより、前記可変表示領域において前記可動部材によって区切られている複数の領域のうち、識別情報が表示されている領域に特定識別情報を表示し、
前記可変表示実行手段は、前記表示位置変更手段が識別情報の表示位置を変更したときに、表示位置の変更前と比較して小さく識別情報を表示する
ことを特徴とする遊技機。
【手続補正２】
【補正対象書類名】明細書
【補正対象項目名】０００１
【補正方法】変更
【補正の内容】
【０００１】
本発明は、識別情報の可変表示を行うパチンコ遊技機等の遊技機に関する。
【手続補正３】
【補正対象書類名】明細書
【補正対象項目名】００１０
【補正方法】変更
【補正の内容】
【００１０】
（１）本発明による遊技機は、識別情報（例えば、特別図柄や飾り図柄）の可変表示を行う遊技機であって、可変表示領域において識別情報の可変表示を実行する可変表示実行手段（例えば、演出制御用マイクロコンピュータ１００において、ステップＳ８３１〜Ｓ８３３，Ｓ８４１〜Ｓ８４３の処理を実行する部分）と、可変表示実行手段が実行する識別情報の可変表示に同期して、特定識別情報（例えば、第４図柄）の可変表示を実行する特定可変表示実行手段（例えば、演出制御用マイクロコンピュータ１００において、ステップＳ９００８〜Ｓ９０１０，Ｓ９１０２〜Ｓ９１０４の処理を実行する部分）と、可変表示領域における識別情報の表示位置を変更する表示位置変更手段（例えば、演出制御用マイクロコンピュータ１００において、ステップＳ８４５の処理を実行する部分）と、可変表示領域を区切るような位置に移動可能な可動部材とを備え、特定可変表示実行手段は、表示位置変更手段が識別情報の表示位置を変更したときに、変更後の表示位置の識別情報と並べて特定識別情報を表示し（図２９（Ｄ）および図３０（Ｄ）参照）、可動部材の移動に伴って特定識別情報の表示位置を移動させることにより、可変表示領域において可動部材によって区切られている複数の領域のうち、識別情報が表示されている領域に特定識別情報を表示し、可変表示実行手段は、表示位置変更手段が識別情報の表示位置を変更したときに、表示位置の変更前と比較して小さく識別情報を表示することを特徴とする。
そのような構成によれば、遊技者が特定識別情報と識別情報との双方を視認しやすいという効果がある。
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
可変表示を行って表示結果として予め定められた特定表示結果が導出されたときに、遊技者にとって有利な有利状態に制御可能な遊技機であって、
未だ開始されていない可変表示に関する情報を保留情報として記憶可能な保留記憶手段と、
前記特定表示結果とするか否かを決定する決定手段と、
前記特定表示結果となるか否かを前記決定手段による決定前に判定する判定手段と、
前記判定手段による判定に基づいて、前記保留記憶手段に記憶されている保留情報に基づく可変表示が実行される前の複数回の可変表示に渡って予告演出を実行する予告演出実行手段と、
所定条件が成立しているか否かによって演出モードへの移行タイミングを異なるように決定する移行決定手段と、
前記移行決定手段によって決定された移行タイミングにおいて前記演出モードに移行させる演出モード移行手段と、
を備え、
前記演出モードは複数種類のモードを含み、
前記予告演出実行手段は、前記複数回の可変表示において、第１予告演出を実行する第１パターンと、当該第１予告演出よりも前記特定表示結果となる割合が高い第２予告演出を実行する第２パターンと、前記第１予告演出を実行した後に前記第２予告演出を実行する第３パターンと、のいずれかのパターンにより前記予告演出を実行可能であるとともに、
前記第１予告演出の演出態様は複数あり、
前記予告演出実行手段は、前記第１予告演出の演出態様に応じて、前記第３パターンにより前記予告演出が実行される割合が異なるように、前記予告演出を実行する、
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
可変表示を行って表示結果として予め定められた特定表示結果が導出されたときに、遊技者にとって有利な有利状態に制御可能な遊技機であって、
未だ開始されていない識別情報の可変表示に関する情報を保留情報として記憶可能な保留記憶手段と、
前記特定表示結果とするか否かを決定する決定手段と、
前記特定表示結果となるか否かを前記決定手段による決定前に判定する判定手段と、
前記判定手段による判定に基づいて、前記保留記憶手段に記憶されている保留情報に基づく可変表示が実行される前の複数回の可変表示に渡って予告演出を実行する予告演出実行手段と、
所定条件が成立しているか否かによって演出モードへの移行タイミングを異なるように決定する移行決定手段と、
前記移行決定手段によって決定された移行タイミングにおいて前記演出モードに移行させる演出モード移行手段と、
を備え、
前記演出モードは複数種類のモードを含み、
前記予告演出実行手段は、前記複数回の可変表示において、第１予告演出を実行する第１パターンと、当該第１予告演出よりも前記特定表示結果となる割合が高い第２予告演出を実行する第２パターンと、前記第１予告演出を実行した後に前記第２予告演出を実行する第３パターンと、のいずれかのパターンにより前記予告演出を実行可能であるとともに、
前記第１予告演出の演出態様は複数あり、
前記予告演出実行手段は、前記第１予告演出の演出態様に応じて、前記第３パターンにより前記予告演出が実行される割合が異なるように、前記予告演出を実行する、
ことを特徴としている。
【手続補正３】
【補正対象書類名】明細書
【補正対象項目名】０２８６
【補正方法】変更
【補正の内容】
【０２８６】
具体的には、各先読み予告パターンＳＹＰ１−１〜３−１においても、先読み予告パターンＳＹＰ４−１のように、対象変動が実行されるまでの変動表示にて各々決定される変動パターンの組合せ及び該組合せ各々に対応する変動表示時間の総和時間（１００００ｍｓ、１５０００ｍｓ、２００００ｍｓ、２５０００ｍｓ、３００００ｍｓ）に対応する長さの先読み予告演出制御パターンを各々用意しておく。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者の第１動作を検出する第１検出手段と、
遊技者の前記第１動作とは異なる第２動作を検出する第２検出手段と、
遊技者の動作を促進する促進演出として、遊技者が前記第１動作を行うことを促進する第１促進演出と、遊技者が前記第２動作を行うことを促進する第２促進演出とを実行する促進演出実行手段と、
前記促進演出を実行する前に前記促進演出が実行されることを示唆する示唆演出を実行可能な示唆演出実行手段と、
を備え、
前記促進演出実行手段は、前記第１促進演出の実行前および実行後の少なくともいずれかにおける所定期間と前記第１促進演出の実行中の期間は前記第２促進演出の実行を制限する、
ことを特徴とする遊技機。
【手続補正２】
【補正対象書類名】明細書
【補正対象項目名】０００８
【補正方法】変更
【補正の内容】
【０００８】
前記課題を解決するために、本発明の請求項１に記載の遊技機は、
遊技を行うことが可能な遊技機（例えば、パチンコ遊技機１,スロットマシン１１０１）であって、
遊技者の第１動作（例えば、スティックコントローラ３１Ａの傾倒操作,遊技者が赤外線センサの検出範囲ＳＡに手を翳す動作）を検出する第１検出手段（例えば、演出制御用ＣＰＵ１２０が変動表示中演出処理においてステップＳ５４７を実行する部分）と、
遊技者の前記第１動作とは異なる第２動作（例えば、プッシュボタン３１Ｂの押下操作）を検出する第２検出手段（例えば、演出制御用ＣＰＵ１２０が変動表示中演出処理においてステップＳ５５８を実行する部分）と、
遊技者の動作を促進する促進演出として、遊技者が前記第１動作を行うことを促進する第１促進演出（例えば、図２１（ａ）に示すスティックコントローラ３１Ａの画像が演出表示装置５の表示画面に表示されている部分）と、遊技者が前記第２動作を行うことを促進する第２促進演出（例えば、図２１（ｃ）に示すプッシュボタン３１Ｂの画像が演出表示装置５の表示画面に表示されている部分）とを実行する促進演出実行手段（演出制御用ＣＰＵ１２０が演出制御プロセス処理において実行する変動表示中演出処理）と、
前記促進演出を実行する前に前記促進演出が実行されることを示唆する示唆演出を実行可能な示唆演出実行手段と、
を備え、
前記促進演出実行手段は、前記第１促進演出の実行前および実行後の少なくともいずれかにおける所定期間と前記第１促進演出の実行中の期間は前記第２促進演出の実行を制限する（例えば、演出制御用ＣＰＵ１２０が第２の促進演出決定処理において、ステップＳ６０６で第２の促進演出の実行期間を、ステップＳ６０３で第２の促進演出の実行を決定した期間以外から決定する部分）、
ことを特徴としている。
この特徴によれば、第１促進演出の実行前および実行後の少なくともいずれかにおける所定期間と第１促進演出の実行中の期間は第２促進演出の実行が制限されるため、遊技者の動作が煩雑になることによる遊技興趣の低下を防止することができる。
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示に関する情報を保留情報として記憶可能な保留記憶手段と、
前記有利状態に制御するか否かを決定する決定手段と、
前記有利状態に制御されるか否かを前記決定手段による決定前に判定する判定手段と、
前記判定手段による判定に基づいて、前記保留記憶手段に記憶されている保留情報に基づく可変表示が実行される前の複数回の可変表示において、前記有利状態に制御されることを予告する予告演出を実行可能な予告演出実行手段と、
前記有利状態に制御されることを示唆可能な示唆演出実行手段と、
を備え、
前記予告演出実行手段は、前記複数回の可変表示において、第１予告演出を実行する第１パターンと、当該第１予告演出よりも前記有利状態に制御される割合が高い第２予告演出を実行する第２パターンと、前記第１予告演出を実行した後に前記第２予告演出を実行する第３パターンと、のいずれかのパターンにより前記予告演出を実行可能であるとともに、
演出態様に応じて前記第３パターンにより前記予告演出が実行される割合が異なり、前記第３パターンで前記予告演出が実行される場合には、１の可変表示中の複数のタイミングにおいて前記第２予告演出を開始可能である、
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
可変表示を行い、遊技者にとって有利な有利状態に制御可能な遊技機であって、
未だ開始されていない可変表示を保留情報として記憶可能な保留記憶手段と、
前記有利状態に制御するか否かを決定する決定手段と、
前記有利状態に制御されるか否かを前記決定手段による決定前に判定する判定手段と、
前記判定手段による判定に基づいて、前記保留記憶手段に記憶されている保留情報に基づく可変表示が実行される前の複数回の可変表示において、前記有利状態に制御されることを予告する予告演出を実行可能な予告演出実行手段と、
前記有利状態に制御されることを示唆可能な示唆演出実行手段と、
を備え、
前記予告演出実行手段は、前記複数回の可変表示において、第１予告演出を実行する第１パターンと、当該第１予告演出よりも前記有利状態に制御される割合が高い第２予告演出を実行する第２パターンと、前記第１予告演出を実行した後に前記第２予告演出を実行する第３パターンと、のいずれかのパターンにより前記予告演出を実行可能であるとともに、
演出態様に応じて前記第３パターンにより前記予告演出が実行される割合が異なり、前記第３パターンで前記予告演出が実行される場合には、１の可変表示中の複数のタイミングにおいて前記第２予告演出を開始可能である、
ことを特徴としている。
この特徴によれば、遊技者の興味を高めることができる。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
再生対象音を表す音響信号を取得する音響信号取得手段と、
前記再生対象音に関連する関連情報を取得する関連情報取得手段と、
前記音響信号に応じた前記再生対象音の放音とともに端末装置に通知される識別情報と前記関連情報取得手段が当該再生対象音について取得した関連情報とを対応させる対応管理手段と
を具備する情報管理システム。
【請求項２】
前記端末装置に通知された識別情報を含む情報要求を当該端末装置から受信し、前記対応管理手段が当該識別情報に対応させた関連情報を当該端末装置に送信する情報提供手段
を具備する請求項１の情報管理システム。
【請求項３】
前記音響信号取得手段が取得した音響信号と前記識別情報を含む変調信号とを含有する音響信号を生成する信号処理手段
を具備する請求項１または請求項２の情報管理システム。
【請求項４】
前記信号処理手段は、前記音響信号取得手段が取得した音響信号を時間軸上で区分した複数の再生区間の各々について、相異なる識別情報を含む変調信号を付加し、
前記対応管理手段は、前記関連情報取得手段が前記再生区間毎に取得した関連情報と当該再生区間に対応する識別情報とを対応させる
請求項３の情報管理システム。
【請求項５】
前記音響信号取得手段は、利用者からの指示に応じた文字列を発音した前記再生対象音を示す音響信号を音声合成により生成する
請求項１から請求項４の何れかの情報管理システム。
【請求項６】
前記関連情報取得手段は、前記再生対象音の発音内容を示す文字列に対する機械翻訳で、当該再生対象音の翻訳を示す前記関連情報を生成する
請求項１から請求項５の何れかの情報管理システム。